(57)【特許請求の範囲】
【請求項１】
光部品搭載板上に光部品固定用具を配置し、光部品及び光ファイバを収納・固定するようにし、入出力ファイバを外部に引出すようにした矩形状のデバイス実装用筐体において、
前記光デバイス実装用筐体のコーナー部に設けられ、前記入出力ファイバを固定する回転可能なファイバ固定具と、
前記ファイバ固定用具に固定される前記入出力ファイバを前記光デバイス実装用筐体の外部に引出すために設けられたファイバ引出口と、
前記入出力ファイバを保持するファイバ保持具を有し、両端を回転可能に固定したクランク機構と、
を設けたことを特徴とする光デバイス実装用筐体。
【請求項２】
前記ファイバ固定用具を取付ける位置において、前記ファイバ引出口が２方向に形成された切り欠きであることを特徴とする請求項１記載の光デバイス実装用筐体。
【請求項３】
前記ファイバ固定用具を取付ける位置において、前記ファイバ引出口が２方向を含む連続した切り欠きであることを特徴とする請求項１記載の光デバイス実装用筐体。
【請求項４】
前記光部品及び光ファイバの収納領域の上面に、入出力ファイバが移動して変形可能な空間を形成するための入出力ファイバ収納板を設けたことを特徴とする請求項３記載の光デバイス実装用筐体。
【請求項５】
請求項１〜３のいずれかに記載の光デバイス実装用筐体を準備する工程と、
前記光デバイス実装用筐体の光ファイバ収納部に光ファイバを収納する工程と、
所定位置にファイバ固定用具を取付ける工程と、
前記ファイバ固定用具を所定方向に回転させる工程と、
入出力ファイバを前記ファイバ固定用具に固定する工程とを組み合わせて、
前記入出力ファイバを前記所定方向に引出すことを特徴とする光ファイバ収納方法。
【請求項６】
請求項４記載の光デバイス実装用筐体を準備する工程と、
前記光デバイス実装用筐体の光ファイバ収納部に光ファイバを収納する工程と、
入出力ファイバを所定位置のファイバ固定用具に固定する工程と、
光デバイスを光通信装置へ実装する時に前記入出力ファイバを変形させて前記ファイバ固定用具を回転させる工程とを備え、
前記入出力ファイバを所定方向に引出すことを特徴とする光ファイバ収納方法。
【請求項７】
請求項１〜４のいずれかに記載の光デバイス実装用筐体に光部品及び光ファイバを収納・固定し、入出力ファイバを素線ファイバと前記素線ファイバに被せたルーズチューブとで構成したことを特徴とする光デバイス。
【請求項８】
前記ファイバ固定用具に前記ルーズチューブの端部のみを固定したことを特徴とする請求項７記載の光デバイス。
【請求項９】
前記ルーズチューブの長さは前記光デバイス実装用筐体から引出す長さと固定に必要な長さを合わせた長さであることを特徴とする請求項８記載の光デバイス。
【発明の詳細な説明】
【０００１】
【発明の属する技術分野】
本発明は光通信システムで使用される光デバイスの実装に関するもので、特に光デバイス実装用筐体、光ファイバ収納方法及び光デバイスに関する。
【０００２】
【従来の技術】
光デバイスは、一般に筐体内に光部品及び光ファイバを収納・固定し、筐体外に入力又は出力用の光ファイバ即ち入出力ファイバを引出すように構成されている。
【０００３】
光デバイスの一例として、図７に示した従来の光増幅器モジュールについて説明する。
【０００４】
光増幅器モジュールは、複数の光部品例えば発光素子モジュール１、受光素子モジュール２、光アイソレータ３及び光分岐カプラ４で構成され、それぞれの光部品からの光ファイバである引出しファイバ（図示せず）を融着接続等により接続する。
【０００５】
光部品はそれぞれ光部品固定用具５に収納・固定され、引出しファイバはファイバガイド６で構成される光ファイバ収納部７に収納される。
【０００６】
光部品固定用具５、ファイバガイド６等は筐体を構成する光部品搭載板８と一体に成形し、又は別体に形成して取付けられる。なお、光部品搭載板８は箱状のケース９に固定されている。
【０００７】
入出力ファイバ１０は光部品からの引出しファイバに接続される一方、入出力ファイバ固定具１１に固定され、筐体を構成するケース９に設けられた切り欠きから筐体の外部に引出される。
【０００８】
光増幅器モジュールの光インターフェースは入出力ファイバ１０に取付けられた入出力用コネクタ１２により実施される。
【０００９】
ファイバガイド６により形成された光ファイバ収納部７は、光ファイバが規定以下の曲げ半径（一般的にＲ３０ｍｍ以下）にならないようにする案内の機能を有しており、また適切な幅の領域を形成して光ファイバの長さにマージンを持たせることができるようにしている。
【００１０】
光増幅器モジュールに使用する光ファイバについては、筐体内部の光部品からの引出しファイバは収納スペースを小さくするために細径のφ０．２５ｍｍ紫外線硬化樹脂被覆素線ファイバ（以下、素線ファイバという）が、また入出力用ファイバ１０は光増幅器モジュールを光通信装置に搭載する際に断線が発生しにくいように、φ０．９ｍｍナイロン被覆心線ファイバ（以下、心線ファイバという）が用いられることが多い。
【００１１】
【発明が解決しようとする課題】
しかしながら、従来の構成では、入出力ファイバの引出し位置が固定化されるので、光通信装置内での実装条件によっては、光インターフェース等の位置関係により入出力ファイバの引出し位置が問題となる場合がある。
【００１２】
その場合には、個別に入出力ファイバの引出し位置を設計変更する必要があり、設計効率、製造コストに対し、マイナス要因となってしまう。
【００１３】
また、光増幅器モジュールの入出力ファイバは心線ファイバを用いることが多いが、融着接続した場合には接続点までの心線ファイバを筐体内に収納する必要がある。その際、心線ファイバは太いため、筐体内部でのファイバ収納スペースが大きくなり、光増幅器モジュールの小型化には不向きである。
【００１４】
そこで更に小型化のために、筐体内での心線ファイバの収納巻線を少なくした場合には、融着接続の失敗等により光ファイバの長さのマージン以上に短かくなると、筐体内に心線ファイバを収納することができなくなったり、筐体の外部に引出すファイバ長の公差を確保できなくなる等の問題が発生する。
【００１５】
【課題を解決するための手段】
上記課題を解決するため、本発明は光デバイス実装筐体のコーナー部に設けられ、入出力ファイバを固定する回転可能なファイバ固定用具と、ファイバ固定用具に固定される入出力ファイバを光デバイス実装用筐体の外部に引出すために設けられたファイバ引出口と、入出力ファイバを保持するファイバ保持具を有し、両端を回転可能に固定したクランク機構とを備え、入出力ファイバをいずれの方向にも引出せるようにしたものである。
【００１６】
また、小型化のために、入出力ファイバを素線ファイバとルーズチューブとで構成したものである。
【００１７】
【発明の実施の形態】
図１は本発明の第１の実施形態を示す平面図で、光デバイスの例として光増幅器モジュールを示し、従来の図７と同じ構成要素には同じ符号を付してある。
【００１８】
入出力ファイバ１０を筐体に固定するための回転可能なファイバ固定用具１３は、光ファイバ収納部７の直線延長上の直交部に配置される。
【００１９】
この直交部は光ファイバが規定曲げ半径以上で収納されているため、空スペースとなる部分で、この直交部の光部品搭載板８に穴をあけておき、ファイバ固定用具１３を取付ける。
【００２０】
ファイバ固定用具１３はファイバ固定用具１３自身を回転可能に構成しても、またファイバ固定用具１３を回転可能に取付けても良く、回転した場合に収納されている光ファイバと干渉しないように構成される。
【００２１】
光増幅器モジュール用筐体は一般的に長方形であるので、直線延長上の直交部は筐体の各コーナーの４個所となるが、いずれの個所もファイバ固定用具１３を取付けることができるように構成される。
【００２２】
また、筐体を構成するケース９には、４個所の直交部、即ちファイバ固定用具１３を取付ける位置において、直線延長上のいずれの方向にも入出力ファイバ１０を引出せるようにファイバ引出口１４が形成される。
【００２３】
従って、入出力ファイバ１０は、筐体の４個所において２方向ずつ、計８方向に引き出すことが可能になる。
【００２４】
図２は本発明に使用するファイバ固定用具の例を示す図で、（ａ）は正面図、（ｂ）は側面図である。
【００２５】
ファイバ固定用具１３は弾力性を有する合成樹脂等で形成され、クランプ部１３ａと取付け部１３ｂとで構成され、図１に示した光部品搭載板８にあけた穴に取付け部１３ｂを挿入することにより容易に回転可能に取付けられる。
【００２６】
図１の入出力ファイバ１０は、クランプ部１３ａに挿入され、接着剤等で固定される。
【００２７】
なお、ファイバ固定用具１３は形状が小さいので、回転させても収納された光ファイバのＲ部に干渉することはない。
【００２８】
図３は本発明の筐体を構成するケースに設けたファイバ引出口の第１の例を示す図で、（ａ）は切り欠きの場合、（ｂ）は穴の場合を示す斜視図である。
【００２９】
（ａ）に示すように、ケース９のコーナー部に２方向に切り欠き１５を設けて、図１に示したファイバ引出口１４を構成したものである。
【００３０】
（ｂ）は（ａ）の切り欠き１５に代えて２方向に穴１６を形成したものである。
【００３１】
図４は本発明の筐体を構成するケースに設けたファイバ引出口の第２の例を示す図で、（ａ）は切り欠きの場合、（ｂ）は穴の場合を示す斜視図である。
【００３２】
（ａ）はケース９のコーナー部に角の部分を削除して２方向を含む連続した切り欠き１７を設け、図１に示したファイバ引出口１４を構成したものである。
【００３３】
（ｂ）は（ａ）の切り欠き１７に代えて２方向を含む連続した穴１８を形成したものである。
【００３４】
光増幅器モジュールを製造する際には、上記した光デバイス実装用筐体を準備し、図１のように光部品を収納・固定し、光ファイバを光ファイバ収納部７に収納する。
【００３５】
入出力ファイバ１０を引出す所定の位置にファイバ固定用具１３を取付ける。この際、４個所すべてにファイバ固定用具１３を取付けても、特定の個所に取付けてもいずれでも良い。
【００３６】
次にファイバ固定用具１３を回転させる。そして入出力ファイバ１０を所定方向に引出すように固定する。
【００３７】
なお、入出力ファイバ１０をファイバ固定用具１３に固定することを先に実行し、その後ファイバ固定用具１３を光部品搭載板８に固定しても良い。
【００３８】
要は上記した工程の順序を組み合わせて入出力ファイバ１０を所定方向に引出すことである。
【００３９】
以上のように第１の実施形態によれば、光ファイバ収納部７の直線延長上の直交部に、回転可能なファイバ固定用具１３を取付けることにより、位置及び方向を変えて、多くの位置、方向へ入出力ファイバ１０を引出すことができ、実装条件の変化に対応するための設計効率、製造コストの悪化を防ぐことができる。
【００４０】
図５は本発明の第２の実施形態を示す平面図で、（ａ）は入出力ファイバの回転がなしの場合、（ｂ）は４５゜の場合、（ｃ）は９０゜の場合を示している。
【００４１】
図５に示した光デバイス実装用筐体は、図１に示した光部品及び光ファイバの収納領域の上面に、入出力ファイバ収納板２０を設けて、入出力ファイバ１０が移動して変形可能な入出力ファイバ専用のファイバ収納領域である空間を形成したものである。
【００４２】
入出力ファイバ収納板２０には、下側の領域から入出力ファイバ１０を取出すための穴であるファイバ取出口２１、ファイバガイド２２及びファイバ固定用具１３が設けられている。
【００４３】
更に入出力ファイバ収納板２０には、入出力ファイバ１０を案内するファイバガイド用突起２３と、入出力ファイバ１０を保持するファイバ保持具２４を有し、両端を回転可能に固定したクランク機構２５とを設けている。
【００４４】
ファイバ保持具２４は例えばリング状に形成されたもので、その中を入出力ファイバ１０が挿通して保持される。このファイバ保持具２４はクランク機構２５に取付けられて入出力ファイバ１０に追従して可動するように構成される。
【００４５】
クランク機構２５は例えば３本のレバー２５ａ，２５ｂ，２５ｃから成り、レバー２５ａの一端とレバー２５ｃの一端は固定回転軸に固定され、それぞれの他端はレバー２５ｂの両端と共に自由回転軸に固定される。
【００４６】
なお、第２の実施形態におけるファイバ引出口は図４に示した２方向を含む連続した切り欠き１７又は穴１８とする。
【００４７】
このように構成すると、（ａ）の回転なしの状態から入出力ファイバ１０が（ｂ）のように４５゜回転すると、入出力ファイバ１０は上記した収納領域の空間内で変形する。この時、クランク機構２５はファイバ保持具２４で入出力ファイバ１０を保持しながら（ｂ）の状態になる。
【００４８】
更に入出力ファイバ１０が９０゜まで回転すると、（ｃ）のように入出力ファイバ１０はＳ字状に変形し、クランク機構２５はＬ字状になって安定する。
【００４９】
入出力ファイバ１０は（ａ）から（ｃ）の状態になることによって入出力ファイバ１０の可能回転角度が９０゜加算されたことになり、入出力ファイバ１０を筐体から引出す方向の選択の自由度が増すことになる。
【００５０】
なお、ファイバガイド用突起２３及びクランク機構２５は入出力ファイバ１０の曲げ半径を確保するものであるから、入出力ファイバ１０の方向を変更するだけであればなくても構わない。
【００５１】
以上のように第２の実施形態によれば、第１の実施形態の効果に加えて、光増幅器モジュールを光通信装置へ実装する時に入出力ファイバ１０を変形させ、ファイバ固定用具１３を回転させて入出力ファイバ１０の引出し方向を決定することができる。
【００５２】
図６は本発明の第３の実施形態の主要部を示す平面図で、入出力ファイバの引出し部分を示している。
【００５３】
第３の実施形態は、図１に示した入出力ファイバ１０を素線ファイバ３０とこれに被せたルーズチューブ３１とで構成したもので、例えばφ０．９ｍｍルーズチューブ付の素線ファイバである。
【００５４】
ルーズチューブ３１は入出力用コネクタ１２に素線ファイバ３０とともに固定され、もう一方の端は素線ファイバ３０に対しフリーとする。
【００５５】
入出力ファイバを光増幅器モジュール筐体に固定する際には、ルーズチューブ３１の端部のみをファイバ固定用具１３に接着剤等により固定する。
【００５６】
ルーズチューブ３１の長さは光増幅器モジュール筐体から引出す長さと固定に必要な長さを合わせた長さとする。
【００５７】
素線ファイバ３０はルーズチューブ３１のフリー端から更に長く引出された状態であり、光部品の接続後、光増幅器モジュール筐体内のファイバガイド６により形成されたファイバ収納部７に収納される。
【００５８】
また、ルーズチューブ３１は素線ファイバ３０に対し、一端がフリーとなっているため、ルーズチューブ３１と素線ファイバ３０の熱膨張係数の差分により、両端が固定されていた時に発生する素線ファイバ３０のたるみも吸収されて全く問題にならない。
【００５９】
以上のように第３の実施形態によれば、光増幅器モジュール筐体から引出される素線ファイバ３０はルーズチューブ３１により保護されているため、従来の心線ファイバと同等の強度を確保することができ、筐体内部のファイバ収納部７においては心線ファイバより細径の素線ファイバ３０のみとなり、ファイバ長のマージンを確保しつつ、ファイバ収納領域の縮小が実現し、光増幅器モジュールの小型化をはかることができる。
【００６０】
また、ファイバ収納部に心線ファイバと素線ファイバが混在して収納される場合には、両者が干渉して素線ファイバに応力がかかり、光の減衰による損失の増加や断線の発生する可能性があったが、素線ファイバのみとなったので、干渉を完全に防止することができる。
【００６１】
上記した実施形態においては、光デバイスの例として光増幅器モジュールで説明したが、本発明は光増幅器モジュールに限定されるものでなく、筐体内に光ファイバが収納され、筐体外部に入力又は出力用の光ファイバを引出す構造をもつ光デバイス全てに適用可能である。
【００６２】
【発明の効果】
上記したように本発明によれば、光ファイバ収納部のコーナー部に設けられ、入出力ファイバを固定する回転可能なファイバ固定用具と、入出力ファイバを保持するファイバ保持具を有し、両端を回転可能に固定したフランク機構とを設けたので、入出力ファイバを変形させ、ファイバ固定用具を回転させることにより、位置及び方向を変えて入出力ファイバを引出すことができ、設計効率、製造コストを悪化させずに実装条件の変化に容易に対応することができる。
【図面の簡単な説明】
【図１】本発明の第１の実施形態を示す平面図。
【図２】ファイバ固定用具を示す図。
【図３】ファイバ引出口の第１の例を示す図。
【図４】ファイバ引出口の第２の例を示す図。
【図５】本発明の第２の実施形態を示す平面図。
【図６】本発明の第３の実施形態を示す平面図。
【図７】従来の光増幅器モジュールを示す平面図。
【符号の説明】
５    光部品固定用具
６，２２    ファイバガイド
７    光ファイバ収納部
８    光部品搭載板
９    ケース
１０    入出力ファイバ
１３    ファイバ固定用具
１４    ファイバ引出口
１５，１７    切り欠き
１６，１８    穴
２０    入出力ファイバ収納板
２３    ファイバガイド用突起
２４    ファイバ保持具
２５    クランク機構
３０    素線ファイバ
３１    ルーズチューブ
【図１】
0004165009.tif 000002
【図２】
0004165009.tif 000003
【図３】
0004165009.tif 000004
【図４】
0004165009.tif 000005
【図５】
0004165009.tif 000006
【図６】
0004165009.tif 000007
【図７】
0004165009.tif 000008